(57)【要約】【課題】  連結部材の構造を複雑化することなく、また高コスト化や重量の増加を招くことなく、面材と巾木の垂直度、平行度を高く維持でき、ゆがみ等の変形を長期間にわたって来たさないようにする。【解決手段】  上側の面材１を手前側に、下側の巾木２を奥側にずらして夫々垂直状に配置すると共に、これらを連結部材３で連結して前面部の下側に蹴込み部４を形成する。上記の連結部材３を、前後の面３ａ、３ｂが平行状のブロック材で形成する。この連結部材３を、前面部の左右位置に、面材１の下部と巾木２の上部とに挟んで面接触状に設ける。【選択図】      図１
2005224310.tif 000002
【特許請求の範囲】
【請求項１】
上側の面材が手前側に、下側の巾木が奥側にずらされて夫々垂直状に配置されると共に、これらが連結部材で連結されて前面部の下側に蹴込み部が形成されている引き出しであって、上記の連結部材が、前後の面が平行状のブロック材で形成され、この連結部材が、前面部の左右位置に、面材の下部と巾木の上部とに挟まれて面接触状に設けられていることを特徴とする引き出し。
【請求項２】
請求項１記載の引き出しであって、連結部材が、中空状に形成されていることを特徴とする引き出し。
【請求項３】
請求項１又は２記載の引き出しであって、連結部材が、前後の面に横孔状に開口するねじ螺合部を備えて形成されていることを特徴とする引き出し。
【請求項４】
請求項１乃至３の何れかに記載の引き出しであって、連結部材に物品載置用板材がかけ渡され、連結部材に上記の板材の左右方向の両端が嵌合する嵌合溝が前後方向に延びて形成され、この嵌合溝に物品載置用板材が嵌合されて設けられていることを特徴とする引き出し。
【請求項５】
請求項４記載の引き出しであって、連結部材の上面に、載置物が側方へ転落することを防止するための落下防止板が、垂直面を左右方向に向けて起立状に設けられていることを特徴とする引き出し。
【請求項６】
請求項１乃至５の何れかに記載の引き出しであって、前面部の左右方向の中央位置に、補強用の連結部材が設けられていることを特徴とする引き出し。
【発明の詳細な説明】
【技術分野】
【０００１】
本発明は、引き出しに関し、更に詳しくは例えば流し台、洗面化粧台、テーブル等の家具の引き出しに関するものである。
【背景技術】
【０００２】
従来この種の引き出しとしては、例えば上側の面材が手前側に、下側の巾木が奥側にずらされて夫々垂直状に配置されると共に、これらが連結部材で連結されて前面部の下側に蹴込み部が形成されているものがある（例えば特許文献１〜３参照）。
この場合、従来品の連結部材は、板状の金具で形成され、従来はこの種の金具の前後の位置に、面材と巾木が、例えばねじ止めされているのが通例であった。
【特許文献１】特許第３３７１１００号公報
【特許文献２】特開２００１−８７０５９号公報
【特許文献３】特開２００２−２８２０７０号公報
【発明の開示】
【発明が解決しようとする課題】
【０００３】
従来品は、上記の通り、連結部材が板状の金具で形成され、その水平面部で面材と巾木が、側面視でクランク形に繋がれていた。従って従来品によると、面材の重みや、引き出し時の振動や衝撃等で前面部にゆがみやガタツキが起き易く、面材と巾木の垂直度、平行度に狂いが生じ、長期間使用するにつれ、引き出しにくくなる、という問題点があった。
また従来は、この種の問題を解消するため、水平面部を厚くしたり、リブを設けたり、強度を上げるためスチールやアルミ合金材を使用することが多かったから、従来品によると、重量が増加し、収納可能重量の減少化を招いたり、製造コストが割高になる、という問題点があった。
【０００４】
本発明は、このような従来技術の問題点に鑑み、提案されたものである。
従って本発明の解決しようとする技術的課題は、連結部材の構造を複雑化することなく、また高コスト化や重量の増加を招くことなく、面材と巾木の垂直度、平行度を高く維持でき、ゆがみ等の変形を長期間にわたって来たさないよう形成した引き出しを提供することにある。
【課題を解決するための手段】
【０００５】
本発明は、上記の課題を解決するため、次のような技術的手段を採る。
即ち本発明は、図１等に示されるように、上側の面材１が手前側に、下側の巾木２が奥側にずらされて夫々垂直状に配置されると共に、これらが連結部材３で連結されて前面部の下側に蹴込み部４が形成されている引き出しであって、上記の連結部材３が、前後の面３ａ、３ｂが平行状のブロック材で形成され、この連結部材３が、前面部の左右位置に、面材１の下部と巾木２の上部とに挟まれて面接触状に設けられていることを特徴とする（請求項１）。
【０００６】
本発明の場合、連結部材３は、通常、例えば断面四角形や六角形等の角形のブロック材で形成されるが、これに限定されるものではなく、その他例えば円柱形のブロック材で形成されるのでも良い。またこの連結部材３の材質は任意であるが、通常、例えばＡＢＳ樹脂等の合成樹脂材で射出成形法、押し出し成形法等により形成される。
【０００７】
而してこの場合、本発明は、連結部材３が、中空状に形成されているのが好ましい（請求項２）。
なぜならこれによると、内部が詰まっている場合に比べ、形成材料を節減でき、その分、低廉化、軽量化できるからである。
【０００８】
また請求項１又は２記載の本発明の場合、連結部材３は、前後の面３ａ、３ｂに横孔状に開口するねじ螺合部８を備えて形成されているのが好ましい（請求項３）。
なぜならこれによると、ねじ締め操作が容易になり、組立て加工に係る手間暇を軽減化、迅速化できるからである。この場合、ねじ螺合部８の形成位置や個数は、任意である。
【０００９】
また請求項１乃至３の何れかに記載の本発明品は、図４等に示されるように、連結部材３に物品載置用板材１４がかけ渡され、連結部材３に上記の板材１４の左右方向の両端が嵌合する嵌合溝１５が前後方向に延びて形成され、この嵌合溝１５に物品載置用板材１４が嵌合されて設けられているのが良い（請求項４）。
なぜならこれによると、面材１の後側を小物の収納箇所として利用でき、物品載置用板材１４を前後方向に抜き差しすることで、その交換を簡単にでき、掃除のときは取り外して洗うことができるからである。
【００１０】
また請求項４記載の本発明の場合は、連結部材３の上面３ｃに、載置物が側方へ転落することを防止するための落下防止板１８が、垂直面を左右方向に向けて起立状に設けられているのが好ましい（請求項５）。
なぜならこれによると、載置物の転落を防止でき、使い勝手が良くなるからである。物品載置用板材１４は、その下端が連結部材３の上面３ｃに挿し嵌められたり、ネジや接着等の手段で固定されたり、或いは連結部材３と一体成形されることにより設けられる。
【００１１】
また請求項１乃至５の何れかに記載の本発明は、図９に示されるように、前面部の左右方向の中央位置に、補強用の連結部材３が設けられているのが好ましい（請求項６）。
なぜならこれによると、間口が大きい場合でも、面材１と巾木２の連結状態を強固にでき、前面部のゆがみ、変形を防止でき、また物品載置用板材１４を備えている場合は左右方向の中央を支持でき、その撓みを防止できるからである。
【発明の効果】
【００１２】
本発明は、このように連結部材を、前後の面が平行状のブロック材で形成し、この連結部材を、前面部の左右位置に、面材の下部と巾木の上部とに挟んで面接触状に設けているものである。
従って本発明の場合は、連結部材を介して面材と巾木が面当たりし、垂直状、平行状になり、また連結部材の前後の面で、面材と巾木とを、安定した状態で連結できる。それ故これによれば、前面部のゆがみ、変形、ガタツキを防止でき、長期間にわたって垂直度、平行度を高く維持できる。
また本発明の場合、連結部材がブロック状であるから、合成樹脂材で形成しても強度が充分あり、構造が簡単であるから、これによれば軽量、安価で、収納重量を減少させることのない引き出しを提供できる。
【発明を実施するための最良の形態】
【００１３】
以下、本発明を実施するための最良の形態を、添付図面に従って説明する。
本発明の引き出しは、図１に示されるように、上側の面材１が手前側に、下側の巾木２が奥側にずらされて夫々垂直に配置され、これらが連結部材３で連結されて前面部の下側に蹴込み部４が形成されている。面材１と巾木２は、表面が化粧加工された長方形の板で形成されている。５は底板であり、この底板５の左右の両側部には、側板６が設けられている。また７は、収納物が側方へ転落するのを防止するための横棒であり、この横棒７は巾木２の左右の上端部に、左右一対状に設けられている。本発明品は、例えば流し台の収納部の最下段に配置されて使用されるものである。
【００１４】
上記の連結部材３は、前面３ａと後面３ｂが平行状のブロック材で形成されている。そしてこの連結部材３は、前面部の左右位置に、面材１の下部と、巾木２の上部とに挟まれて面接触状に設けられている。連結部材３は、この実施形態ではＡＢＳ樹脂等の合成樹脂材で、断面四角形の中空状に、例えば射出成形法で形成されている。またこの連結部材３は、前面３ａ、後面３ｂに、横孔状に開口するねじ螺合部８を備えて形成されている。このねじ螺合部８は、ねじ９が効くよう、ねじ９の直径より内径が幾分小さい状態に形成され、この実施形態では連結部材３の前後の面３ａ、３ｂの中央上下位置に、上下一対状に形成されている。連結部材３は、その上面３ｃが巾木２の上端面２ａと面一になるよう、高さが位置決めされ、巾木２から通されるねじ９で面材１と巾木２とに挟まれている。
【００１５】
本発明品は、図１に示されるように、巾木２の後側から、ねじ９をねじ螺合部８にねじ込み、連結部材３を介して面材１と巾木２とを固定する。この場合本発明品は、連結部材３の奥行き方向を適宜カットしたり、奥行き寸法の異なる連結部材３で面材１と巾木２を連結することにより、図２に示されるように、蹴込み部４の深さＤを簡単に変更できる。
【００１６】
以上の処において、上例では、ねじ９がねじ螺合部８にねじ込まれているが、本発明はこれに限定されるものではない。即ち本発明は、ねじ螺合部８に代え、例えば連結部材３に横孔を貫通し、この横孔にねじ９を遊びをもって挿し通し、これにより面材１と巾木２を連結部材３を介して固定するのでも良い。
【００１７】
また本発明は、ねじ９が連結部材３を貫通している場合には限られず、例えば図３に示されるように形成されるのでも良い。即ちこの実施形態は、連結部材３の前面３ａが閉塞され、この前面３ａの適宜位置に、ねじ挿通孔１０が形成されている。そしてこのねじ挿通孔１０を介して連結部材３の内側から面材１と連結部材３とがねじ１１で止められ、また連結部材３の後面３ｂにねじ１２の効く螺合部１３が、例えば上下位置に形成され、巾木２からねじ１２が螺合部１３にねじ込まれて巾木２と連結部材３とが固定されるものである。
この場合は、短い、安価なネジの利用が可能になるだけではなく、連結部材３の前面３ａと後面３ｂを、夫々個別に面材１、巾木２に固定する構造のため、奥行きのある連結部材３を安定した状態で連結でき、蹴込み部４を深くすることができる。
【００１８】
また本発明は、図４に示されるように、連結部材３に物品載置用板材１４がかけ渡され、連結部材３に上記の板材１４の左右方向の両端が嵌合する嵌合溝１５が前後方向に延びて形成され、この嵌合溝１５に物品載置用板材１４が嵌合されて設けられているのでも良い。物品載置用板材１４は、例えばアルミ合金材や樹脂成形品等で形成される。連結部材３の上面３ｃは、巾木２の上端面２ａと面一になるよう、高さが位置決めされている。
【００１９】
上記の嵌合溝１５は、この実施形態では連結部材３の上面３ｃに、断面逆Ｌ字形の段差部１６が立ち上げられ、この段差部１６の前後方向に延びる開口面を利用して形成されている。嵌合溝１５としての開口面は、対向状に内側に向けられている。また段差部１６の面材１寄りの内側には、物品載置用板材１４に形成された、後述する凹部１４１と嵌合する断面凸湾曲形の凸部１６ａが下向き状に形成されている。
【００２０】
而してこの実施形態の物品載置用板材１４は、面材１の裏面に当接する長手方向の側縁付近の上面位置に、断面凹湾曲状の溝形の凹部１４１が側縁に沿って形成されている。従って物品載置用板材１４は、嵌合溝１５に挿し込まれると、凹部１４１が上記の凸部１６ａに嵌合し、その抜け落ちが防止される。またこの物品載置用板材１４は、長手方向と直交する方向の幅が、連結部材３の奥行きより長く選定され、嵌合溝１５に嵌合させたとき、巾木２の上端面２ａに載るよう形成されている。
従って物品載置用板材１４は、この実施形態の場合、両端が連結部材３の上面３ｃで支持されるだけではなく、長手方向の一方の側部が巾木２の上端面２ａで支持されるため、収納物の重みで撓むことがない。
【００２１】
なお物品載置用板材１４は、図７Ａに示されるように、小分け収納が可能になるよう、仕切り１７を例えば複数備えて形成されるのでも良い。この実施形態の物品載置用板材１４は、面材１の裏面に当接する長手方向の側縁が僅かに立ち上げられ、反対側の側縁が高く立ち上げられると共に、物品載置用板材１４の上面に、長手方向と直交する幅方向に延びて仕切り１７が形成されている。また物品載置用板材１４は、引き出し構造の強度には関係がないから、同図Ｂに示されるように、載置面１４ａがメッシュに形成され、通気性を良くして根菜等の収納に適するよう構成されるのでも良い。
なお図８は、載置面１４ａをメッシュに形成した物品載置用板材１４を、連結部材３の上面３ｃに形成した嵌合溝１５に嵌合する場合の実施例である。本発明は、このように嵌合溝１５を連結部材３の上面３ｃに形成し、物品載置用板材１４の左右端を、連結部材３の上面３ｃで支持できるように形成するのが好ましいが、これに限定されるものではない。
【００２２】
また本発明品は、図４〜図６に示されるように、連結部材３の上面３ｃに、載置物の側方への転落を防止するための落下防止板１８が、垂直面を左右方向に向けて起立状に設けられているのでも良い。物品載置用板材１４は、例えば図６Ａに示されるように、連結部材３の上面３ｃに嵌合用の凹溝１９が形成され、この凹溝１９に下端が挿し嵌められることにより設けられる。この本発明の場合、落下防止板１８の形状、材質、高さ、大きさ等は、連結部材３の奥行き等に合わせて適宜選定されるので良い。
【００２３】
また本発明は、図９に示されるように、前面部の左右方向の中央位置に、補強用の連結部材３が設けられているのでも良い。この補強用の連結部材３は、左右位置の連結部材３と同様、例えば断面四角形のブロック材で形成され、前面部の中央位置において面材１の下部と、巾木２の上部とに挟み付けられ、ネジ止めされている。なおこの補強用の連結部材３は、横幅（左右方向の幅）が、左右位置の連結部材３より幅広状に形成されているのでも良い。この場合は、前面部の中央位置のゆがみや変形等をより確実に防止でき、また面材１と巾木２の垂直度、平行度を精度良く確実に、且つ安定的に維持できる。
【図面の簡単な説明】
【００２４】
【図１】本発明の引き出しの好適な一実施形態を示し、Ａは一部を切欠した正面図、ＢはＡのＢ−Ｂ線断面図、Ｃは連結部材の斜視図である。
【図２】Ａ、Ｂとも、同上の引き出しの要部側面図である。
【図３】Ａは連結部材の他の実施形態を示す斜視図、Ｂはこの連結部材で形成した本発明品の要部側面図である。
【図４】本発明品の他の実施形態を示す斜視図である。
【図５】図４の実施形態に係る本発明品の側面図である。
【図６】Ａは図４の実施形態に係る本発明品の要部分解斜視図、Ｂは要部側面図である。
【図７】Ａ、Ｂとも、物品載置用板材の他の実施形態を示す斜視図である。
【図８】Ａは図７Ｂの物品載置用板材と連結部材との嵌合作用を説明する要部分解斜視図、Ｂは要部側面図である。
【図９】Ａは本発明の更に他の実施形態を示す正面図、Ｂは一部を切欠した要部平面図である。
【符号の説明】
【００２５】
１    面材
２    巾木
３    連結部材
３ａ  前面
３ｂ  後面
４    蹴込み部
【図１】
2005224310.tif 000003
【図２】
2005224310.tif 000004
【図３】
2005224310.tif 000005
【図４】
2005224310.tif 000006
【図５】
2005224310.tif 000007
【図６】
2005224310.tif 000008
【図７】
2005224310.tif 000009
【図８】
2005224310.tif 000010
【図９】
2005224310.tif 000011